(57)【特許請求の範囲】
【請求項１】
横編機の針床に形成される針溝に、前後に摺動移動可能な状態で収容され、前部にフックを有し、フックよりも後方にスライダー溝が形成される針本体と、
針本体のスライダー溝に下部が収容され、前部に、編目の係止が可能なタングを有し、針本体に対して相対移動してタングでフックを開閉するスライダーとが組合わされ、
スライダー溝の底面には、スライダーをタングでフックを閉じるように接近させる際に、タングの先端がフック尖頭に当接する高さに達するようにタングを上昇させる上昇斜面と、上昇したタングを一定の高さでフックに接近させる平坦面とが、連続するカム面として形成されている横編機の複合針において、
スライダー溝の底面がカム面として作用するスライダーの底部は、
タングでフックを閉じる際に、タングを一定の高さで接近させるようにスライダー溝の底面の平坦面に摺接する摺接部と、
摺接部がスライダー溝の底面の上昇斜面から平坦面に移行する段階で、摺接部よりも先行して、平坦面に当接するように、摺接部の前方からスライダー溝の底面側に突出する当接部と、
摺接部と当接部との間に形成され、上側に凹む形状を有する段差部とを、
有し、
旧ループをタングで保持し、歯口で給糸口からフックに給糸が行われる糸喰い時に、段差部の前方で、当接部が平坦面に当接する状態を一時的に保持可能である、
ことを特徴とする横編機の複合針。
【請求項２】
前記スライダーの底部の当接部は、円弧形状を有して前記平坦面と点接触する、
ことを特徴とする請求項１記載の横編機の複合針。
【請求項３】
前記タングは、二枚のブレードに別れ、前記フックを閉じる際には、フックの尖頭を両側から挟む、
ことを特徴とする請求項１または２記載の横編機の複合針。
【発明の詳細な説明】
【技術分野】
【０００１】
本発明は、横編機の針床に形成される針溝に収容されて編地の編成に使用され、フックをスライダーで開閉する横編機の複合針に関する。
【背景技術】
【０００２】
従来から、横編機では、小型化や生産性の向上などを図る場合に、編針として、フックをスライダーで開閉する複合針を使用している。複合針では、前端にフックを有する針本体が針溝内を摺動し、針本体に形成されるスライダー溝内に収容されるスライダーが針本体に対して相対移動する。スライダーは、フックに新ループを形成する編目の形成動作時に、前端でフックの尖頭に当接してフックを閉鎖するタングを先端側に有する。タングは、タングの上縁で保持する旧ループを、閉鎖しているフックの上縁を乗り越えるように案内してノックオーバさせる機能も有する。フックをタングで閉鎖する前に、フックに係止されている旧ループは、フックの歯口への進出で、フックに対して相対的に後退し、タングの上縁に移行する。歯口でフックに対して編糸の供給が行われると、フックを針床に引込む際に、編糸をフック内に捕捉して、フック内に新ループを形成する。タングの前端をフックの尖頭に当接させてフックを閉鎖し、針本体とスライダーとを針床にさらに引込むと、旧ループはノックオーバされる。このようなタングの作用をスムーズに行うために、スライダー溝の底面を、タングを上下動させる上昇斜面および下降斜面を含むカム面として形成する場合がある（たとえば、特許文献１参照）。
【先行技術文献】
【特許文献】
【０００３】
【特許文献１】特許第３８８６９０３号公報
【発明の概要】
【発明が解決しようとする課題】
【０００４】
フックを歯口に進出させて給糸を受ける糸喰い時、タングの上縁で旧ループを保持する状態でスライダーをほぼ停止させながら、針本体を歯口に対して進退させる。フックに給糸を受けた針本体が歯口から後退し、フックを閉じるようにタングに接近する際には、スライダー溝の上昇斜面の作用でタングが相対的に上昇しようとし、旧ループは歯口の下方に引張られる。タングの底部でスライダー溝の上昇斜面に摺接する部分には、上縁の旧ループに対する歯口下方への引張力の影響で、上昇斜面と垂直に当接させる方向の分力と、上昇斜面に沿って下降させる方向の分力とが発生する。タングの相対的な上昇の状態が一時的に保持される場合に、下降させる方向の分力が大きくなると、スライダーが針本体に対して後退するおそれがある。
【０００５】
タングの相対的な上昇中にスライダーを下降させる方向の分力は、旧ループが重ね目の場合や、太い編糸を使用する場合、針本体やスライダーの駆動速度を大きくする場合などに、増大する。
【０００６】
本発明の目的は、フックを閉じるように相対移動させる際に、タングが相対的に上昇する状態を一時的に保持させても、旧ループへの歯口下方への引張力でスライダーが後退し難くすることが可能な、横編機の複合針を提供することである。
【課題を解決するための手段】
【０００７】
本発明は、横編機の針床に形成される針溝に、前後に摺動移動可能な状態で収容され、前部にフックを有し、フックよりも後方にスライダー溝が形成される針本体と、
針本体のスライダー溝に下部が収容され、前部に、編目の係止が可能なタングを有し、針本体に対して相対移動してタングでフックを開閉するスライダーとが組合わされ、
スライダー溝の底面には、スライダーをタングでフックを閉じるように接近させる際に、タングの先端がフック尖頭に当接する高さに達するようにタングを上昇させる上昇斜面と、上昇したタングを一定の高さでフックに接近させる平坦面とが、連続するカム面として形成されている横編機の複合針において、
スライダー溝の底面がカム面として作用するスライダーの底部は、
タングでフックを閉じる際に、タングを一定の高さで接近させるようにスライダー溝の底面の平坦面に摺接する摺接部と、
摺接部がスライダー溝の底面の上昇斜面から平坦面に移行する段階で、摺接部よりも先行して、平坦面に当接するように、摺接部の前方からスライダー溝の底面側に突出する当接部と、
摺接部と当接部との間に形成され、上側に凹む形状を有する段差部とを、
有し、
旧ループをタングで保持し、歯口で給糸口からフックに給糸が行われる糸喰い時に、段差部の前方で、当接部が平坦面に当接する状態を一時的に保持可能である、
ことを特徴とする横編機の複合針である。
【０００８】
また本発明で、前記スライダーの底部の当接部は、円弧形状を有して前記平坦面と点接触する、
ことを特徴とする。
【０００９】
また本発明で、前記タングは、二枚のブレードに別れ、前記フックを閉じる際には、フックの尖頭を両側から挟む、
ことを特徴とする
【発明の効果】
【００１０】
本発明によれば、スライダー溝の底面がカム面として作用するスライダーの底部は、摺接部と当接部と段差部とを有する。摺接部は、タングでフックを閉じる際に、タングを一定の高さでフックに接近させるようにスライダー溝の底面の平坦面に摺接する。当接部は、摺接部がスライダー溝の底面の上昇斜面から平坦面に移行する段階で、摺接部よりも先行して、平坦面に当接するように、摺接部の前方からスライダー溝の底面側に突出する。段差部は、摺接部と当接部との間で上側に凹む形状を有する。旧ループをタングで保持し、歯口で給糸口からフックに給糸が行われる糸喰い時に、段差部の前方で、当接部が平坦面に当接する状態を一時的に保持可能である。歯口下方に作用する旧ループへの引張力は、摺動部を上昇斜面に沿って後退させる方向ではなく、当接部を平坦面に当接させる方向に作用するので、スライダーを後退させ難くすることができる。
【００１１】
また本発明によれば、スライダーの底部の当接部は円弧形状を有して点接触するので、スライダー溝の底面の平坦面と当接する際に、平坦部に垂直に向う方向の分力のみが発生して、平坦面に沿ってスライダーを後退させる方向の分力が発生しないようにすることができる。
【００１２】
また本発明によれば、スライダーの二枚のブレードで、フックを円滑に開閉し、旧ループに対する歯口下方への引張力が大きくなっても、スライダーが後退し難くなって、確実なノックオーバを行わせることができる。
【図面の簡単な説明】
【００１３】
【図１】図１は、本発明の一実施例としての複合針１の概略的な構成を示す、部分的な正面図である。
【図２】図２は、図１の複合針１を構成する主要な部品と、それらの組合せ状態を示す正面図である。
【図３】図３は、図１の複合針１の動作を示す部分的な正面図である。
【図４】図４は、図1の複合針１で旧ループを保持する状態を示す部分的な正面図である。
【発明を実施するための形態】
【００１４】
以下、図１では、本発明の一実施例として、横編機に使用する複合針１の概略的な構成を部分的に示す。図２では、図１の複合針１の全体の構成と、主要な構成部品の構成とを示す。図３では、図１の複合針１の動作を示す。図４では、図１の複合針１で編地の編成を行っている途中の状態を示す。
【００１５】
各図で、対応する部分には同一の参照符を付し、重複する説明を省略する場合がある。また、説明の対象となる図には付していない参照符で、先に説明した図には付してあるものに言及する場合もある。
【００１６】
また、各図の複合針１は、横編機の針床に形成される針溝に収容されている状態で表示する。ただし、針溝自体の図示は省略する。さらに、横編機の針床は、図４に示すように、針溝の前方となる歯口に向って高くなり、歯口から遠ざかるに従って低くなるように傾斜しているけれども、図１〜図３の複合針１は、水平な姿勢となるように図示する。この姿勢で、右方が歯口側の前方、左方が歯口から遠ざかる後方を示すものとする。また、上方は針溝から浮上する方向、下方は針溝内に沈下する方向を、それぞれ示すものとする。
【実施例】
【００１７】
図１に示す複合針１は、針本体２が針床の針溝内を図の左右の方向に摺動する。針本体２の前端には、フック３が設けられ、フック３から間隔をあけた後方には、ガイド部押え２ａが形成される。ガイド部押え２ａを含むフック３よりも後方となる針幹２ｂには、上面に開口するスライダー溝４が設けられている。スライダー溝４には、スライダー５の下部が収容され、スライダー５の下部がスライダー溝４内で摺動することで、スライダー５の針本体２に対する相対的な移動が可能となっている。スライダー５の前端には、タング６が形成され、上縁６ａで旧ループを保持することができる。上縁６ａで保持する旧ループが脱落しないように、タング６の先端には上縁６ａより高くなっている脱落防止部６ｂが設けられている。
【００１８】
図１に示すように、タング６の先端の脱落防止部６ｂがフック３の尖頭３ａから後方に離れている状態で、フック３は開いている。タング６によるフック３の開閉は、針本体２に対するスライダー５の相対的な移動に伴って行われる。スライダー５の針溝に対する移動は、基体７を介して行われる。スライダー５と基体７とは、図示の範囲外の左方で結合しており、基体７に設けるバットをカムで駆動して、スライダー５に対する駆動が行われる。針本体２も、図示の範囲外の左方で結合するニードルジャックに設けるバットをカムで駆動して、針溝に対する移動でフック３を歯口８に進退させる。歯口８では、前後の針床が対向し、中心線８ａが鉛直方向に延びるけれども、図では上下方向ではなく、右上がりに傾斜する方向で示す。
【００１９】
スライダー５の下部を収容するスライダー溝４の底面には、上昇斜面４ａ、平坦面４ｂおよび下降斜面４ｃを含むカム面が形成されている。このカム面は、タング６の底部を案内し、タング６がフック３の尖頭３ａに接近して閉鎖する際に、タング６を上下動させる。タング６がフック３の尖頭３ａを閉鎖すると、タング６の上縁６ａで保持する旧ループを、フック３の上縁３ｂを通ってノックオーバさせることができる。タング６の底部には、カム面と摺接する摺接部６ｃと当接部６ｄとが設けられる。摺接部６ｃは、上昇斜面４ａよりも左方、上昇斜面４ａおよび平坦面４ｂでカム面と摺接する。ただし、歯口８で給糸口９からフック３に給糸が行われる糸喰い時には、図に示すように、摺接部６ｃが上昇斜面４ａから平坦面４ｂに移行する付近に留まり、当接部６ｄが平坦面４ｂに当接する状態が一時的に保持される。
【００２０】
図の上方に示すように、タング６の底部は、摺接部６ｃと当接部６ｄとの間に段差部６ｅが形成され、従来形状６ｆよりも上側に凹む形状を有する。タング６の後部には、スライダー５の肩部５ａおよびガイド部５ｂが設けられる。ガイド部５ｂは、スライダー５が針本体２に対して最も後退する状態で、ガイド部押え２ａによって押えられる。肩部５ａは、タング６の上縁６ａで保持する編目の最後退位置を定める。
【００２１】
上縁６ａで保持する編目は、歯口８の下方への引張力を受ける。このとき、スライダー溝４の底面がカム面として作用するタング６の底部では、当接部６ｄが平坦面４ｂに当接する。図４に関して後述するように、編目への引張力は、図の下方に作用し、当接部６ｄが平坦面４ｃに当接する方向とほぼ一致する。このために、引張力によっては、平坦面４ｂに沿う方向の分力がほとんど発生しないので、スライダー５は後退し難くなる。なお、当接部６ｄの形状は、たとえば平坦面４ｂと短い線接触するような直線状の形状でも、平坦面４ｂに沿う方向に発生する分力は、スライダー５を後退させ難くすることができる。当接部６ｄの形状が円弧状であり、点接触の状態であれば、平坦面４ｂに対して常に垂直な方向の分力のみ発生し、平坦面４ｂに沿う方向の分力は発生させないので、さらにスライダー５を後退し難くすることができる。
【００２２】
図２は、複合針１と、その主要部品である針本体２、スライダー５およびニードルジャック１０とを、組合せ状態および分解状態でそれぞれ示す。スライダー５と基体７とは、結合部５ｄで結合し、駆動バット７ｂに受ける駆動力でスライダー５を移動させる。駆動バット７ｂに隣接して、補助バット７ｃも設けられている。針本体２は、後端付近に、結合凹部２ｃを有する。針本体２には、ニードルジャック１０が結合される。ニードルジャック１０は、尾部が弾性脚１０ａとなり、針溝の底面から弾発的に浮上する。ニードルジャック１０の中間には、駆動バット１０ｂが設けられ、針本体２を針溝内で摺動させるための駆動を受ける。ニードルジャック１０の前端には、結合凸部１０ｃが設けられる。結合凸部１０ｃは、針本体２の結合凹部２ｃと結合し、針本体２とニードルジャック１０とが組合される。このように結合されているニードルジャック１０および針本体２に対し、基体７とスライダー５との組合せを、相対的に移動させることができる。
【００２３】
図３は、図１の複合針１で、スライダー５を針本体２に対して相対的に移動させて行うニットの編成動作を示す。針溝に対しては、針本体２も移動する場合があるけれども、針本体２を相対的に静止させ、スライダー５を相対的に移動させる状態で動作を示す。
【００２４】
図３（ａ）は、スライダー５が針本体２に対して最も後退している状態を示す。フック３は、歯口８に最進出している状態となる。フック３を歯口８に進出させる前にフック３内に係止されていた旧ループは、針本体２の歯口８への進出につれて、針幹２ｂの上縁に沿ってタング６側に移動する。タング６の脱落防止部６ｂは、スライダー溝４内に沈んで、針幹２ｂの上縁から突出しないので、旧ループを円滑に、タング６の上縁６ａ上に相対移動させることができる。
【００２５】
図３（ｂ）は、図１のフック３に給糸を受ける糸喰い時の状態を示す。図３（ａ）に対し、スライダー５を針溝に対してほぼ停止させ、針本体２を針溝に対して少し後退させ、フック３を最進出位置から給糸位置まで後退させると、タング６の底部の摺接部６ｃが上昇斜面４ａに摺接して、上縁６ａや脱落防止部６ｂを針幹２ｂの上縁よりも高い位置になるように、タング６を上昇させることができる。タング６の底部の当接部６ｄが平坦面４ｂに当接している状態を一時的に保持して、フック３に対する給糸を行えば、タング６の上縁６ａで保持する旧ループへの引張力が歯口８の下方に作用しても、スライダー５が後退し難くなるようにすることができる。
【００２６】
図３（ｃ）は、図３（ｂ）に示す位置でスライダー５を停止させ、針本体２を歯口８から後退させてフック３を針床に引込んでいる状態を示す。タング６の底部の摺接部６ｃが平坦面４ｂに摺接するようになると、当接部６ｄは平坦面４ｂから離れ、カム面からの作用を受けなくなる。編糸は、フック３内に捕捉される。
【００２７】
図３（ｄ）は、フック３の尖頭３ａがタング６の前端の脱落防止部６ｂに当接し、フック３はタング６で閉じられる状態を示す。フック３を針床側に引込むことによって、フック３内には新ループが形成される。さらにフック３を引込むと、タング６の上縁６ａで保持する旧ループは、フック３の上縁３ｂを経てノックオーバされる。ノックオーバの際に、脱落防止部６ｂが旧ループの移動を妨げないようにするために、タング６を下降させる下降斜面４ｃを設けている。なお、旧ループの移動に支障がなければ、スライダー溝４の底面には、下降斜面４ｃを設けないで、平坦面４ｂを前端まで延長させてもよい。
【００２８】
なお、スライダー５は、紙面に垂直な方向に並ぶ二枚のブレードに分けて構成される。タング６の先端側も二枚に分れ、図３（ｄ）のようにタング６の先端でフック３の尖頭３ａを閉鎖する際には、脱落防止部６ｂが尖頭３ａを両側から挟む。スライダー５を二枚のブレードに分ける場合、図３（ｄ）のようにタング６の先端でフック３を閉鎖するだけではなく、二枚のブレードをフック３よりも歯口８に進出させ、目移しなどを行わせることもできる。そのような、二枚のブレードに分れるスライダー６を利用して多様な動作を行わせるための駆動カムでは、駆動バット７ｂに作用するカム溝の経路切換えが多く行われる。案内の途中でスライダー６が後退させられると、異なる経路に案内され、誤動作するおそれがある。タング６の底部に当接部６ｄを設けて、スライダー６が後退し難くすると、誤動作のおそれも低減することができる。また、二枚のブレードに分れないスライダー５を使用してもよい。この場合でも、ニットの糸喰い時の一時的な保持の際には、上述の二枚のブレードに分れるスライダー５と同様に、後退し難くなるようにすることができる。
【００２９】
図４は、針床１１の先端付近について、図１や図３（ｂ）と同様に、編地の編成としてニットの糸喰い時の状態を示す。タング６の上縁６ｂで保持する旧ループ１２は、歯口８の下方に垂下する編地１３に続いている。編地１３は、引下げ装置などで、歯口８の下方に引張られる。旧ループ１２や編地１３を、歯口８の下方に押込む可動シンカー１４が用いられる場合もある。可動シンカー１４は、編糸受け部１４ａで旧ループ１２を歯口８の下方に押込む。このような旧ループ１２の編糸で、タング６の上縁６ａには、図の下方への引張力が作用する。タング６の底部は、円弧状の形状を有する当接部６ｄでスライダー溝４の底面の平坦面４ｂに点接触で当接しているので、当接部６ｄではスライダー５を後退させる分力がほとんど発生しない。
【符号の説明】
【００３０】
１  複合針
２  針本体
３  フック
３ａ  尖頭
４  スライダー溝
４ａ  上昇斜面
４ｂ  平坦面
５  スライダー
６  タング
６ａ  上縁
６ｃ  摺接部
６ｄ  当接部
７  基体
８  歯口
１２  旧ループ
【図１】
0005719544.tif 000002
【図２】
0005719544.tif 000003
【図３】
0005719544.tif 000004
【図４】
0005719544.tif 000005